(57)【特許請求の範囲】
【請求項１】
客買上商品の販売登録が行われた１取引の明細データをプリンタによりレシート用紙に印字して客控えレシートを発行する商品販売登録データ処理装置において、
前記プリンタにより客控えレシートに印字した１取引の明細データを記憶する記憶手段と、この記憶手段により記憶した１取引の明細データを前記プリンタにより前記レシート用紙に印字して複数種類の店控えレシートを発行する店控えレシート発行手段と、この店控えレシート発行手段による店控えレシートの発行枚数をカウントするカウント手段と、このカウント手段によるカウント数に応じて対応する店控えレシートの長さを変化させるレシート長制御手段とを具備したことを特徴とする商品販売登録データ処理装置。
【請求項２】
請求項１記載の商品販売登録データ処理装置において、店控えレシート発行手段により発行する各店控えレシートの下端部に店控えレシートの種類を識別するデータを印字する識別データ印字手段を設けたことを特徴とする商品販売登録データ処理装置。
【発明の詳細な説明】
【０００１】
【発明の属する技術分野】
本発明は、レシート発行機能を有する電子式キャッシュレジスタ、ＰＯＳ（販売時点情報管理）ターミナルなどの商品販売登録データ処理装置に関する。
【０００２】
【従来の技術】
一般に、電子式キャッシュレジスタやＰＯＳターミナル等の商品販売登録データ処理装置は、レシート用紙に１取引として販売登録した各商品の価格や合計金額などの明細データを印字して客控えレシートを発行するプリンタを備えている。そして、合計金額について客の支払いが完了すると、上記客控えレシートを発行するものとなっている。
【０００３】
因みに、従来は商品の販売登録毎にプリンタを駆動して商品価格等のデータをレシート用紙に印字する逐次印字方式が大部分であった。ところが、最近ではプリンタの高速印字が可能になったため、１取引として販売登録された各商品のデータをバッファに記憶保持し、支払い完了後にプリンタを駆動して上記バッファに記憶保持していたデータをレシート用紙に印字してレシート発行を行う一括印字方式が主流になりつつある。
【０００４】
ところで、商店のなかには、商品代金の支払い方法として現金以外にクレジットを認めているところがある。そこで、この種の商店向けとして、クレジットによる支払いを受付処理し、レシート用紙を用いてクレジット伝票と同等のものを印字発行する機能を備えた商品販売登録データ処理装置が開発され、実用化されている。
このクレジットによる支払い受付処理機能を備えた商品販売登録データ処理装置は、通常の現金による支払い受付処理機能を備えた商品販売登録データ処理装置に、クレジットカード会社のホストコンピュータとデータ通信が可能なホストインタフェースと、クレジットカードのデータを読取るカードリーダとを併設している。またキーボードに、クレジットによる支払いを宣言するクレジットキーや、分割払い，ボーナス一括払い等の取扱区分を選択するキー等を設けている。
【０００５】
そして、１取引として販売登録する全商品の登録後、クレジットキーの入力によりクレジットによる支払いが宣言されると、カードリーダでクレジットカードのデータを読取るとともに、一括払い，分割払い等の支払方法の入力等を受け付ける。そして、これらのデータが入力されると、クレジットによる支払いを受付処理し、ホストインタフェースを介して該当するクレジットカード会社のホストコンピュータに決済の承認を問合わせ、承認応答を受けると、プリンタを駆動してレシート用紙に１取引の明細データやクレジットに関するデータを繰返し印字して、クレジット伝票として、客控えレシートと、会計控え用，計上用及び売場控え用の３種類の店控えレシートを発行するものであった。
【０００６】
【発明が解決しようとする課題】
ところで、店控え用のクレジット伝票として発行される３種類の店控えレシートは、キャッシャが例えば重ね合せ上端を綴じて一時保管し、閉店後等に会計担当者に提出していた。
しかしながら、各店控えレシートは会計控え用，計上用及び売場控え用の見出しが異なるだけで印字内容はほぼ共通であり、レシートの長さも一致するため、３枚綴りとなった店控えレシートが会計控え用と計上用と売場控え用の３種類揃っているか否かを簡単に判別することができなかった。
【０００７】
そこで本発明は、１取引に対し複数種類の店控えレシートを発行する場合において、必要とする種類の店控えレシートが全て揃っているか否かを簡単に判別でき、店控えレシートを取り扱う担当者の負担軽減を図ることができる商品販売登録データ処理装置を提供しようとするものである。
【０００８】
【課題を解決するための手段】
本発明は、客買上商品の販売登録が行われた１取引の明細データをプリンタによりレシート用紙に印字して客控えレシートを発行する商品販売登録データ処理装置において、プリンタにより客控えレシートに印字した１取引の明細データを記憶する記憶手段と、この記憶手段により記憶した１取引の明細データをプリンタによりレシート用紙に印字して複数枚の店控えレシートを発行する店控えレシート発行手段と、この店控えレシート発行手段による店控えレシートの発行枚数をカウントするカウント手段と、このカウント手段によるカウント数に応じて対応する店控えレシートの長さを変化させるレシート長制御手段とを備えたものである。
このような構成により、１取引に対して発行される複数種類の店控えレシートは各々のレシート長が異なるので、各種類の店控えレシートをレシート長の短い順に上から重ね合わせて例えば上端を揃えたとき、必要とする種類の店控えレシートが全て揃っているか否かを簡単に判別することができる。
【０００９】
また本発明は、上記構成に加えて、店控えレシート発行手段により発行する各店控えレシートの下端部に店控えレシートの種類を識別するデータを印字する識別データ印字手段を設けたものである。
この識別データ印字手段を設けることにより、各種類の店控えレシートを短い順にその上端を揃えると、各店控えレシートの下端部に印字された種類識別データを一目で確認できるので、必要とする種類の店控えレシートが全て揃っているか否かをより簡単に判別することができる。
【００１０】
【発明の実施の形態】
以下、本発明の一実施の形態について図面を用いて説明する。
なお、この実施の形態では、現金及びクレジットの支払受付処理が可能な電子式キャッシュレジスタであって、クレジット支払受付処理の際に、クレジット伝票として客控えレシートと、３種類（会計控え用，計上用，売場控え用）の店控えレシートを発行するものに本発明を適用する場合について説明する。
【００１１】
図１はかかる電子式キャッシュレジスタの外観構成を示す斜視図であって、キャッシュレジスタ本体１０の上面手前側にキーボード１１を設け、上面中央部に表示器１２を設けている。また、キャッシュレジスタ本体１０の正面左側にモードスイッチ１３を設け、右側面にクレジットカードのカードデータを読取るカードリーダ１４を設けている。さらに、キャッシュレジスタ本体１０の下部に現金等を収容するためのドロワ１５を形成している。また、レシート用紙及びジャーナル用紙にデータを印字するプリンタ１６をキャッシュレジスタ本体１０内に搭載しており、このプリンタ１６によって印字されたレシート用紙を前記表示器１２の裏側に形成されたレシート発行口１７から排出し、ジャーナル用紙をキャッシュレジスタ本体１０の内部で巻取るようになっている。
【００１２】
前記キーボード１１は、図２に示すように、［０］〜［９］及び［００］の数値と小数点を入力するための置数キー２１、各商品を分類する部門コードがそれぞれプリセットされた複数の部門キー２２、置数データが乗数であることを指示する乗算キー２３、置数データが各商品固有のＰＬＵコードであることを指示するＰＬＵキー２４等の商品登録用キーの他、小計キー２５、預／現計キー２６、クレジットキー２７、クリアキー２８等の各種ファンクションキーを配設した電子式キャッシュレジスタ専用のものである。
【００１３】
そして、特にクレジット支払受付処理においてクレジットの支払方法を選択入力するキーとして、「一括払い」「リボルビング払い」「ボーナス払い」「分割払い」及び「ボーナス併用払い」の各支払い方法選択キー２９を配設したものである。
ここで、預／現計キー２６は現金による代金支払いを宣言する締めキーであり、クレジットキー２７はクレジットカードによる代金支払いを宣言する締めキーである。
【００１４】
前記モードスイッチ１３は、「登録」，「点検」，「精算」，「設定」等の各種業務モードを選択するための切換スイッチである。因みに、「登録」とは商品登録用キーの入力により販売登録された商品の販売データを内部メモリ上の売上データファイルに登録処理し、締めキーの入力により代金支払いが宣言された１取引の支払受付処理を実行する業務のモード、「点検」とは前記売上データファイルの内容を売上点検レポートとしてプリンタ１６によりレシート用紙に印字する業務のモード、「精算」とは前記売上データファイルの内容を売上精算レポートとしてプリンタ１６によりレシート用紙に印字した後この売上データファイルをクリアする業務のモード、「設定」とは各種業務を実行する上で必要なデータを予め内部メモリに設定する業務のモードである。
【００１５】
図３はかかる電子式キャッシュレジスタの制御回路構成を示すブロック図である。図示するように、この電子式キャッシュレジスタは、制御部本体としてＣＰＵ（中央処理装置）３１を搭載している。また、ＣＰＵ３１が実行するプログラム等の固定的データを予め格納したＲＯＭ（リード・オンリ・メモリ）３２、各商品固有のＰＬＵコードに対応して単価、品名等の商品データをプリセットした商品データファイルや販売登録された各商品の販売データを集計記憶する売上データファイル等の各種メモリエリアを形成するＲＡＭ（ランダム・アクセス・メモリ）３３、日時を計時する時計回路３４、回線接続されたクレジットカード発行会社のホストコンピュータとの間で行われるデータの送受信を制御するホストインタフェース３５、前記モードスイッチ１３からの信号を入力し、ＣＰＵ３１の制御により前記ドロワ１５を開放させるドロワ開放装置１５ａに開放駆動信号を出力するＩ／Ｏポート３６、前記キーボード１１を制御し入力操作されたキーのキー信号を取込むキーボードコントローラ３７、前記表示器１２を制御し表示データを表示させる表示器コントローラ３８、前記プリンタ１６を制御し印字データをレシート用紙とジャーナル用紙に印字させるプリンタコントローラ３９、及び前記カードリーダ１４を制御しこのカードリーダ１４で読み取ったクレジットカードのデータを取込むカードリーダコントローラ４０等を搭載している。
そして、前記ＣＰＵ３１と、ＲＯＭ３２，ＲＡＭ３３，時計回路３４，ホストインタフェース３５，Ｉ／Ｏポート３６及び各コントローラ３７，３８，３９，４０とをアドレスバス，データバス等のバスライン４１で接続している。
【００１６】
さて、かかる電子式キャッシュレジスタは、前記ＲＡＭ３３に、前記商品データファイル及び売上データファイルの他、図４に示すように、１取引として販売登録された商品の販売金額を合計記憶する小計メモリ５１、１取引として販売登録された商品の明細印字データ及び合計印字データを１取引分記憶するレシートバッファ５２、１取引として販売される商品の登録開始に応じてセットされ、登録締め後にリセットされる登録中フラグのフラグメモリ５３、１取引として販売登録された商品の代金支払いをクレジットで処理した際のクレジット支払データを記憶するクレジットバッファ５４、取引数Ｎをカウントする取引数カウンタ５５を形成している。
また、１取引として販売登録された商品の代金支払いをクレジットで処理した際に発行する店控えレシートの発行枚数Ｘをカウントするカウント手段としての発行枚数カウンタ５６と、この発行枚数カウンタ５６のカウント値に対応して店控えレシートの種類を識別するデータを予め設定記憶したデータテーブル５７とを形成している。なお、この実施の形態では、１枚目の店控えレシートを会計控え用としてその種類識別データを「Ａ票」とし、２枚目の店控えレシートを計上用としてその種類識別データを「Ｂ票」とし、３枚目の店控えレシートを売場控え用としてその種類識別データを「Ｃ票」とする。
【００１７】
しかして、かかる電子式キャッシュレジスタは、「登録」モードにおいて前記ＣＰＵ３１が特に図５の流れ図に示す処理を実行するように、プログラムを構成している。
すなわち、ＣＰＵ３１は、ＳＴ（ステップ）１として置数キー２１，部門キー２２，乗算キー２３及びＰＬＵキー２４の商品登録用キーの操作入力により商品の販売登録が行われたことを検知すると、１取引における１点目の販売登録なので、フラグメモリ５３の登録中フラグＦをセットし、小計メモリ５１，レシートバッファ５２及びクレジットバッファ５４をクリアする。また、取引数カウンタ５５のカウント値Ｎを１だけカウントアップする。
【００１８】
次に、ＣＰＵ３１は、ＳＴ２として販売登録された商品の販売点数及び販売金額を前記ＲＡＭ３３の売上データファイルに登録処理する。また、ＳＴ３として販売金額を小計メモリ５１のデータＡに加算する。さらに、ＳＴ４として販売登録商品のＰＬＵコード，品名，単価，販売点数及び販売金額等からなる明細印字データを編集し、この明細印字データをレシートバッファ５２に登録順に格納する。また、ＳＴ５として表示器１２に登録商品の品名，単価，販売点数，販売金額等を表示させる。
【００１９】
次に、ＣＰＵ３１は、ＳＴ６として商品登録用キーによる商品販売登録が再度行われたか、ＳＴ７として小計キー２４が入力されたかを判断する。そして、商品販売登録が再度行われたことを検知した場合には、１取引の２点目以降の販売登録なので、前記ＳＴ２〜ＳＴ５の各処理を順に実行する。
これに対し、小計キー２４の入力を検知した場合には、１取引として販売登録された各商品の小計出力が指示されたので、ＳＴ８として小計メモリ５１のデータＡを小計金額として呼出す。そして、この小計金額に予め設定された税率（例えば３％）を乗じて外税額を計算し、この外税額を小計金額に加算して取引合計額を算出したならば、ＳＴ９としてこの取引合計額を表示器１２に表示させる。
【００２０】
次に、ＣＰＵ３１は、ＳＴ１０として商品登録用キーによる商品販売登録が再度行われたか、ＳＴ１１として締めキーが入力されたかを判断する。そして、商品販売登録が再度行われたことを検知した場合には、１取引の２点目以降の販売登録なので、前記ＳＴ２〜ＳＴ５の各処理を順に実行する。
これに対し、締めキーの入力を検知した場合には、１取引の商品販売登録終了が宣言されたので、ＳＴ１２として小計金額、外税額及び取引合計額からなる合計明細印字データを編集し、この合計明細印字データをレシートバッファ５２の最後に登録された商品の明細印字データの次に格納する。
【００２１】
次に、ＣＰＵ３１は、ＳＴ１３として入力締めキーの種類を判別する。ここで、クレジットキー２７であれば、この取引における商品代金の支払方法としてクレジットが指示されたので、図６に具体的に示すクレジット支払受付処理を実行する。
【００２２】
すなわちＣＰＵ３１は、クレジット支払受付処理を開始すると、先ず、ＳＴ２１としてカードリーダ１４によりクレジットカードのカードデータ（クレジットカード会社コード，会員番号，有効期限等）を読取り、このカードデータに基づいてクレジットカードの有効性を判定する。そして、クレジット会社コードが店で取り扱いできるクレジットカード会社の会社コードであったり、有効期限が切れていないことから、ＳＴ２２として有効性有りを確認した場合には、ＳＴ２３としてクレジット支払方法の入力を待機する。そして、各支払方法選択キー２９のいずれかのキー操作入力により支払方法が入力されたならば、ＳＴ２４としてその支払方法データ及び取引合計額データをカードデータとともにホストインタフェース３５を介して該当するクレジットカード会社のホストコンピュータに送信して、決済の承認を問合わせる。その結果、ＳＴ２５として承認応答を受信したならば、カードデータ及び支払方法データやホストコンピュータからの応答データ等に基づいてクレジット支払明細印字データを編集して、クレジットバッファ５４に格納する。
なお、ＳＴ２２にてカードの無効を判定したり、ＳＴ２５にて所定時間内に承認応答を受信できなかった場合には、クレジットによる支払受付をエラーとする。この場合、現金等の他の方法による支払いを受付ける。
【００２３】
次に、ＣＰＵ３１は、ＳＴ２７として発行枚数カウンタ５６のカウント値Ｘを“０”にリセットする。また、ＳＴ２８として客控えレシートのヘッダデータ（見出し「クレジット受付買上票、お客様控え」，日付，取引数カウンタ５５の取引数Ｎ）に引き続き、レシートバッファ５２内の商品明細印字データ及び合計印字データとクレジットバッファ５４内のクレジット支払明細印字データとをプリンタ１６に順に送出してレシート用紙とジャーナル用紙に印字させる。そして最後にフッタデータ（責任者番号，責任者名，時刻）とロゴデータ［御計算書］を送出してレシート用紙とジャーナル用紙に印字させたならば、カットコマンドを送出してレシート用紙をフッタデータとロゴデータの間で切断することにより、客控えレシートを発行する。
【００２４】
次に、ＣＰＵ３１は、ＳＴ２９として発行枚数カウンタ５６のカウント値Ｘを１だけカウントアップする（カウント手段）。しかる後、ＳＴ３０として上記発行枚数カウンタ５６のカウント値Ｘが店控えレシートの発行枚数“３”を越えたか否かを判断する。この場合はカウント値Ｘが“１”なのでＳＴ３１に進む。
【００２５】
そして、Ｘ＝１枚目の店控えレシートつまりは会計控え用店控えレシートのヘッダデータ（見出し「クレジット受付買上票、会計控え」，日付，取引数カウンタ５５の取引数Ｎ）に引き続き、レシートバッファ５２内の商品明細印字データ及び合計印字データとクレジットバッファ５４内のクレジット支払明細印字データとをプリンタ１６に順に送出してレシート用紙とジャーナル用紙に印字させる。次に、フッタデータ（責任者番号，責任者名，時刻）を送出してレシート用紙とジャーナル用紙に印字させた後、ＳＴ３２としてプリンタ１６にＸ行つまりは１行のフィードコマンドを送出してレシート用紙を１行分フィードさせる（レシート長制御手段）。しかる後、ＳＴ３３としてデータテーブル５７からカウント値Ｘ＝１に対応する種類識別データ「Ａ票」を読出し、ＳＴ３４としてこの種類識別データ「Ａ票」をプリンタ１６に送出してレシート用紙とジャーナル用紙に印字させたならば、カットコマンドを送出してレシート用紙を種類識別データとロゴデータの間で切断することにより、会計控え用店控えレシートを印字発行する（店控えレシート発行手段）。
【００２６】
その後、ＳＴ２９に戻り発行枚数カウンタ５６のカウント値Ｘを１だけカウントアップする。この場合もカウント値Ｘ（＝２）が店控えレシートの発行枚数“３”を越えないので、ＳＴ３１に進む。
そして、Ｘ＝２枚目の店控えレシートつまりは計上用店控えレシートのヘッダデータ（見出し「クレジット受付買上票、計上用」，日付，取引数カウンタ５５の取引数Ｎ）に引き続き、レシートバッファ５２内の商品明細印字データ及び合計印字データとクレジットバッファ５４内のクレジット支払明細印字データとをプリンタ１６に順に送出してレシート用紙とジャーナル用紙に印字させる。次に、フッタデータ（責任者番号，責任者名，時刻）を送出してレシート用紙とジャーナル用紙に印字させた後、ＳＴ３２としてプリンタ１６にＸ行つまりは２行のフィードコマンドを送出してレシート用紙を２行分フィードさせる。しかる後、ＳＴ３３としてデータテーブル５７からカウント値Ｘ＝２に対応する種類識別データ「Ｂ票」を読出し、ＳＴ３４としてこの種類識別データ「Ｂ票」をプリンタ１６に送出してレシート用紙とジャーナル用紙に印字させたならば、カットコマンドを送出してレシート用紙を種類識別データとロゴデータの間で切断することにより、計上用店控えレシートを印字発行する。
【００２７】
その後、ＳＴ２９に戻り発行枚数カウンタ５６のカウント値Ｘを１だけカウントアップする。この場合もカウント値Ｘ（＝３）が店控えレシートの発行枚数“３”を越えないので、ＳＴ３１に進む。
そして、Ｘ＝３枚目の店控えレシートつまりは売場控え用店控えレシートのヘッダデータ（見出し「クレジット受付買上票、売場控え」，日付，取引数カウンタ５５の取引数Ｎ）に引き続き、レシートバッファ５２内の商品明細印字データ及び合計印字データとクレジットバッファ５４内のクレジット支払明細印字データとをプリンタ１６に順に送出してレシート用紙とジャーナル用紙に印字させる。次に、フッタデータ（責任者番号，責任者名，時刻）を送出してレシート用紙とジャーナル用紙に印字させた後、ＳＴ３２としてプリンタ１６にＸ行つまりは３行のフィードコマンドを送出してレシート用紙を３行分フィードさせる。しかる後、ＳＴ３３としてデータテーブル５７からカウント値Ｘ＝３に対応する種類識別データ「Ｃ票」を読出し、ＳＴ３４としてこの種類識別データ「Ｃ票」をプリンタ１６に送出してレシート用紙とジャーナル用紙に印字させたならば、カットコマンドを送出してレシート用紙を種類識別データとロゴデータの間で切断することにより、売場控え用店控えレシートを印字発行する。
【００２８】
その後、ＳＴ２９に戻り発行枚数カウンタ５６のカウント値Ｘを１だけカウントアップする。今度はカウント値Ｘが“４”となり店控えレシートの発行枚数“３”を越えるのでＳＴ３５に進む。そして、フラグメモリ５３の登録中フラグをリセットしたならば、このクレジット支払受付処理を終了する。
【００２９】
このように構成した本実施の形態の電子式キャッシュレジスタにおいては、１客が買上げる商品の販売登録後、クレジットキー２７の入力によりクレジットによる代金支払いが指示されると、クレジット支払受付処理を実行する。その結果、クレジットによる代金支払いが承認されると、買上商品の明細及びその合計データに続いてクレジット支払いの明細データが印字された客控えレシートに引き続き、３枚の店控えレシートが発行される。
【００３０】
この場合におけるレシート用紙への１印字例を図７に示す。始めに、レシート用紙の先端には直前の取引（取引数Ｎ＝１２３４５５）におけるレシートカットの際にロゴマーク［御計算書］がスタンプで印刷されている。
この状態で、単価５００００円の礼服１着と単価２００００円のコート１着を買上げた客が、１回払いのクレジットによる代金支払いを申し出て承認されたとすると、先ず領域Ａ１で示す区間の印字が行われ、切断線Ｌ１でカットされて、客控えレシートＲ１が発行される。次に、領域Ａ２で示す区間の印字が行われ、切断線Ｌ２でカットされて、会計控用店控えレシートＲ２が発行される。次に、領域Ａ３で示す区間の印字が行われ、切断線Ｌ３でカットされて、計上用店控えレシートＲ３が発行される。最後に、領域Ａ４で示す区間の印字が行われ、切断線Ｌ４でカットされて、売場控え用店控えレシートＲ４が発行される。
【００３１】
ここで、各店控え用レシートＲ２，Ｒ３，Ｒ４を比較すると、フッタデータの印字後に、会計控え用店控え用レシートＲ２は１行フィードして会計控え用の種類識別データ「Ａ票」を印字し、計上用店控え用レシートＲ３は２行フィードして計上用の種類識別データ「Ｂ票」を印字し、売場控え用店控え用レシートＲ４は３行フィードして売場控え用の種類識別データ「Ｃ票」を印字しているので、レシート長が会計控え用店控え用レシートＲ２，計上用店控え用レシートＲ３，売場控え用店控え用レシートＲ４の順に１行ずつ長くなる。
【００３２】
したがって、各店控え用レシートＲ２，Ｒ３，Ｒ４を会計控え用店控え用レシートＲ２，計上用店控え用レシートＲ３，売場控え用店控え用レシートＲ４の順に上から重ね合わせて上端を揃えると、図８に示すように、各店控え用レシートＲ２，Ｒ３，Ｒ４の種類識別データ「Ａ票」，「Ｂ票」，「Ｃ票」を全て確認できるようになる。その結果、必要とする種類の店控えレシートＲ２，Ｒ３，Ｒ４が全て揃っているか否かを簡単に判別することができ、店控えレシートを取り扱う担当者の負担を軽減できるものとなる。
【００３３】
また、各店控え用レシートＲ２，Ｒ３，Ｒ４にそれぞれ固有の種類識別データ「Ａ票」，「Ｂ票」，「Ｃ票」を印字するようにしたので、店控え用レシートＲ２，Ｒ３，Ｒ４の分類がし易い。しかも、各店控え用レシートＲ２，Ｒ３，Ｒ４の取引番号を対応する客控えレシートＲ１の取引番号と共通にしたので、レシートの照合が容易である利点もある。
【００３４】
また、各店控え用レシートＲ２，Ｒ３，Ｒ４に対する種類識別データ「Ａ票」，「Ｂ票」，「Ｃ票」を印字はレシート用紙のみに行い、ジャーナル用紙には印字しないようにしたので、ジャーナル用紙の節約をも図り得る。
【００３５】
なお前記実施の形態では、各店控え用レシートＲ２，Ｒ３，Ｒ４の下端部に種類識別データ「Ａ票」，「Ｂ票」，「Ｃ票」を印字する場合を示したが、この種類識別データ「Ａ票」，「Ｂ票」，「Ｃ票」を印字しなくても、各店控え用レシートＲ２，Ｒ３，Ｒ４のレシート長が１行ずつ異なるので、各種類の店控えレシートをレシート長の短い順に上から重ね合わせて例えば上端を揃えれば、必要とする種類の店控えレシートが全て揃っているか否かを簡単に判別することができる。
【００３６】
また前記実施の形態では、クレジット支払受付処理において３枚の店控え用レシートＲ２，Ｒ３，Ｒ４を印字発行する電子式キャッシュレジスタに本発明を適用した場合を示したが、本発明はこれに限定されるものではなく、複数枚の店控えレシートを発行するものすべてについて適用できるものである。この場合において、発行枚数が特に制限されるものではなく、また種類識別データの内容も制限されるものではない。
【００３７】
【発明の効果】
以上詳述したように、本願請求項１記載の発明によれば、１取引に対して発行される複数種類の店控えレシートの各々のレシート長が異なるので、各店控えレシートの上端または下端を揃えることにより必要とする種類の店控えレシートが全て揃っているか否かを簡単に判別することができ、店控えレシートを取り扱う担当者の負担軽減を図ることができる商品販売登録データ処理装置を提供できる。
【００３８】
また、本願請求項２記載の発明によれば、各店控えレシートの下端部に店控えレシートの種類を識別するデータが印字されるので、、各店控えレシートの上端を揃えることにより必要とする種類の店控えレシートが全て揃っているか否かをより簡単に判別することができ、店控えレシートを取り扱う担当者のより一層の負担軽減を図ることができる商品販売登録データ処理装置を提供できる。
【図面の簡単な説明】
【図１】  本発明の一実施の形態である電子式キャッシュレジスタの外観構成を示す斜視図。
【図２】  同電子式キャッシュレジスタのキーボードを示す平面図。
【図３】  同電子式キャッシュレジスタの要部構成を示すブロック図。
【図４】  同電子式キャッシュレジスタのＲＡＭに設けた主要なメモリエリアを示す図。
【図５】  同電子式キャッシュレジスタのＣＰＵが実行する登録業務処理を示す流れ図。
【図６】  図５におけるクレジット支払受付処理を具体的に示す流れ図。
【図７】  同実施の形態におけるレシート用紙への一印字例を示す図。
【図８】  図７に示した印字例の店控えレシートの取扱状態を示す図。
【符号の説明】
１０…キャッシュレジスタ本体
１１…キーボード
１２…表示器
１３…モードスイッチ
１４…カードリーダ
１６…プリンタ
２７…クレジットキー
３１…ＣＰＵ
３４…時計回路
５２…レシートバッファ
５４…クレジットバッファ
５５…取引数カウンタ
５６…発行枚数カウンタ
５７…データテーブル
Ｒ１…客控えレシート
Ｒ２，Ｒ３，Ｒ４…店控えレシート
【図１】
0003637143.tif 000002
【図２】
0003637143.tif 000003
【図３】
0003637143.tif 000004
【図４】
0003637143.tif 000005
【図５】
0003637143.tif 000006
【図６】
0003637143.tif 000007
【図７】
0003637143.tif 000008
【図８】
0003637143.tif 000009